(57)【要約】【課題】  安全に開閉作業を行うことができると共に、開閉作業を容易に行うことができるストッパー付きの吊り作業用フックを提供することを目的とする。【解決手段】  円弧状のフック本体１と、フック本体１前方の開口部を塞ぐストッパー２と、フックの開閉を保持するトリガー３とにより構成され、前記フック本体１と前記ストッパー２は同一の軸４で回動可能に軸着され、ストッパー２の上端には連結環５を備え、前記トリガー３はフック本体１の後部に位置し、フック本体１に回動可能に軸着され、かつストッパー２を開放位置若しくは閉鎖位置で保持するようにばねで付勢された吊り作業用フックにおいて、支持部材６を、トリガー３の下方位置に備える。【選択図】      図１
2010042883.tif 000002
【特許請求の範囲】
【請求項１】
円弧状のフック本体（１）と、フック本体（１）前方の開口部を塞ぐストッパー（２）と、フックの開閉を保持するトリガー（３）とにより構成され、前記フック本体（１）と前記ストッパー（２）は同一の軸（４）で回動可能に軸着され、ストッパー（２）の上端には連結環（５）を備え、前記トリガー（３）はフック本体（１）の後部に位置し、フック本体（１）に回動可能に軸着され、かつストッパー（２）を開放位置若しくは閉鎖位置で保持するようにばねで付勢された吊り作業用フックにおいて、
支持部材（６）を、トリガー（３）の下方位置に備えたことを特徴とする吊り作業用フック。
【請求項２】
前記支持部材（６）は、フック本体（１）の後部面より突出していることを特徴とする請求項１記載の発明。
【請求項３】
前記支持部材（６）は、フック本体（１）の側面の一方または両方より突出していることを特徴とする請求項１記載の発明。
【請求項４】
前記支持部材（６）は、フック本体（１）の後部面および側面の一方または両方より突出していることを特徴とする請求項１記載の発明。
【請求項５】
前記支持部材（６）は、鉛直方向に対して鈍角を成すように突出していることを特徴とする請求項１、２、３または４記載の吊り作業用フック。
【発明の詳細な説明】
【技術分野】
【０００１】
本発明は重量物などをクレーン等で吊り上げる場合に使用される吊り作業用フックに関するものである。
【背景技術】
【０００２】
建設現場や工場等において、重量物を移動させる場合には、クレーン等で吊り上げ作業が行われており、ワイヤー等で束ねられた重量物を吊り上げるために、吊り作業用フックが用いられている。
【０００３】
吊り作業用フックの代表的なものとしては、円弧形状の単純なフックが挙げられる。しかしながら、フックが開口しているため、ワイヤーがフックから脱落し、吊り荷が落下してしまう危険性がある。このため、図５に示すようなワイヤーの脱落を防止するためのストッパーを備えたフックが開発され、一般的に広く使用されるようになってきている。このようなストッパー付きのフックにおいて、ストッパーの開閉は、トリガーまたはロック等を操作して行うものであるが、通常は図６に示すようにフックの内周部に指をかけてトリガー等の操作を行うため、フックに掛けてあるワイヤー等により指を挟みこんでしまう恐れがあった。なお、ストッパー付きのフックの発明としては、例えば特許文献１の発明が挙げられる。
【０００４】
また、特許文献２の発明のような開閉作業を自動的に行うフックも存在するが、フック自体の規模が大きく、しかも非常に高価なものであり、その使用は大規模な重量物の移動等に限定されてしまう。
【０００５】
【特許文献１】特開平９−１４２７７１号公報
【特許文献２】特開平８−１６５０８８号公報
【発明の開示】
【発明が解決しようとする課題】
【０００６】
そこで本発明は、上記課題を解決するためになされたものであり、安全にストッパーの開閉作業を行うことができると共に、開閉作業を容易に行うことができるストッパー付きの吊り作業用フックを提供することを目的とする。
【課題を解決するための手段】
【０００７】
以下に、上記課題を解決するための手段について記載する。
請求項１記載の発明は、円弧状のフック本体と、フック本体前方の開口部を塞ぐストッパーと、フックの開閉を保持するトリガーとにより構成され、前記フック本体と前記ストッパーは同一の軸で回動可能に軸着され、ストッパーの上端には連結環を備え、前記トリガーはフック本体の後部に位置し、フック本体に回動可能に軸着され、かつストッパーを開放位置若しくは閉鎖位置で保持するようにばねで付勢された吊り作業用フックにおいて、支持部材を、トリガーの下方位置に備えたことを特徴としている。
【０００８】
これによると、フックを開閉する場合には、従来のようにフックの内周部に指を掛けてトリガーを操作する必要はなく、支持部材でフックを支えつつトリガーの操作を行えるので、安全にフックの開閉作業を行うことができる。さらに、フックの開閉自体も容易に行うことができる。
【０００９】
請求項２記載の発明は、請求項１記載の発明において、前記支持部材がフック後部面より突出する形態であることを特徴としている。
【００１０】
請求項３記載の発明は、請求項１記載の発明において、前記支持部材がフックの側面の一方または両方より突出する形態であることを特徴としている。
【００１１】
請求項４記載の発明は、請求項１記載の発明において、前記支持部材が、フックの後部面および側面の一方または両方より突出する形態であることを特徴としている。
【００１２】
これら請求項２、３または４記載の発明によると、支持部材の下部等に指をかけて支えることができるため、フックが支持しやすくなると共に、フックの開閉操作をより容易に行うことができる。
【００１３】
請求項５記載の発明は、請求項１、２、３または４記載の発明において、前記支持部材が、鉛直方向に対して鈍角を成すように突出していることを特徴としている。
【００１４】
これによると、吊り上げ作業時に支持部材が周辺の物に触れても、誤ってその物を引掛けて吊り上げてしまう恐れがない。
【発明の効果】
【００１５】
以上のような構成により、本発明における吊り作業用フックは、従来のフックに比べ、フックの開閉作業を安全に行うことができる。しかも、フックの開閉を容易に行うことができ、吊り上げ作業も効率よく行うことができる。
【００１６】
加えてフックの吊り上げ作業時に支持部材が周辺の物に触れても、誤ってその物を吊り上げてしまう恐れがない。
【発明を実施するための最良の形態】
【００１７】
以下、本発明における吊り作業用フックの実施形態について、図面を用いて説明する。
図１および図２は本発明における吊り作業用フックの実施形態を示すものであり、図中には併せて方向も示してある。これらによると、吊り作業用フックは、フック本体１とストッパー２とトリガー３と支持部材６により構成されている。
【００１８】
フック本体１は円弧状であり、その上端の左右には固定片１ａ、１ａを平行に備え、固定片１ａ、１ａ間の空間にはストッパー２を軸４に回動可能に軸着している。ストッパー２は回動してフック本体１の開口部を開閉する役割を果たし、その上端にはクレーン等のワイヤー１１を挿通するための連結環５を設けている。そして、ストッパー２を開放位置もしくは閉鎖位置で保持するために、トリガー３を固定片間のストッパー２の下方位置において、ばねで付勢（図示略）しつつ回動可能となるように軸着（図示略）している。トリガー３において、指で操作する部分はフック本体１後部面に位置させている。
【００１９】
フック本体１後部面においてトリガー３の下方には、支持部材６として屈曲した板体６が、その凹面を外側に向ける形で備えてある。ここで板体６の横幅はフック本体１の横幅より広く、また板体６の屈曲については、突出している部分が鉛直方向に対して鈍角となるように屈曲の角度２１を設定している。なお、板体６のフック本体１への取り付けについては、溶接やねじ等によって取り付けてもよいし、またはフック本体１と一体形成してもよいが、特に限定されるものではない。
【００２０】
以上のように構成された吊り作業用フックの使用方法について説明する。ストッパー２は閉鎖状態ではトリガー３によりロックされており、ストッパー２を開放する場合にはトリガー３を操作しストッパー２を上方に回動させる。ストッパー２の開放については、従来の吊り作業用フックでは、図６に示すようにフックの内周部に指を掛けてトリガー３を操作しており、吊り下げたワイヤー等１１により指を挟む恐れがあった。しかし、本発明における吊り作業用フックでは、例えば図３に示すように、板体６の下面に指を掛けてフックを支えながらトリガー３の操作を行うことができるので、安全に開閉作業を行うことができ、しかもトリガー３の操作も容易に行える。また、図４に示すように、板体６の裏側（凸面側）の左右に指を掛けつつ、手のひらで板体６を保持すると、トリガー３の操作をより一層、容易に行うことができる。
【００２１】
なお、本発明の別の実施形態としては、図５に示すようにフラットな板体６をフック本体１より突出させる形態が挙げられる。この形態は、扱い易さや取り付け易さといった観点では、小型のフックに適している。また、板体６のフックへの取り付けに関しては、前記の実施形態と同様に、溶接やねじ等によって取り付けてもよいし、またはフック本体１と一体形成してもよく、これも特に限定されるものではない。
【００２２】
以上に本発明における実施形態を示したが、支持部材６の形態に関しては、上記の板体６に特に限定されるものではなく、例えば、板体６の代わりに円柱状や角柱状のものをフック本体１より突出させてもよい。
【図面の簡単な説明】
【００２３】
【図１】本発明における吊り作業用フックの実施形態を示す側面図。
【図２】本発明における吊り作業用フックの実施形態を示す斜視図。
【図３】本発明における吊り作業用フックの実施形態の使用方法（その１）を示す概略図。
【図４】本発明における吊り作業用フックの実施形態の使用方法（その２）を示す概略図。
【図５】本発明における吊り作業用フックの別の実施形態を示す斜視図。
【図６】従来の吊り作業用フックを示す側面図。
【図７】従来の吊り作業用フックの使用方法を示す概略図。
【符号の説明】
【００２４】
１    フック本体
１ａ  固定片
２    ストッパー
３    トリガー
４    軸
５    連結環
６    支持部材（板体）
１１    ワイヤー
２１    角度
【図１】
2010042883.tif 000003
【図２】
2010042883.tif 000004
【図３】
2010042883.tif 000005
【図４】
2010042883.tif 000006
【図５】
2010042883.tif 000007
【図６】
2010042883.tif 000008
【図７】
2010042883.tif 000009